【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  フック先端を備えた釜本体（１１、２１、３１、４１、５１、６１）と、上記釜本体の側部に取付けられた針受け用周縁プレート（１２、２２、３２、４２、５２、６２）とを備えた、本縫いミシン用の垂直軸心釜（１０、２０、３０、４０、５０、６０）であって、
上記プレートは、相互に一体的な締着／位置決め部分および調節可能部分を備え、
当該垂直軸心釜は釜軸心に関して上記調節可能部分の位置を調節すべく上記プレートに対するネジ調節手段を更に備えた、垂直軸心釜において、
上記位置決め機能、締着機能および調節機能はネジにより実施されることを特徴とする、垂直軸心釜。
【請求項２】  前記プレート調節ネジ（１６、２６、３６、４６、５６、６６）は位置決め手段でもあり、且つ、該プレート調節ネジは前記プレートの前記締着部分の近傍である該プレートの前記調節可能部分の位置において作用することを特徴とする、請求項１記載の釜。
【請求項３】  前記プレート（１２）は、二つのネジ手段（１７、１８）により前記釜本体に取付けられた締着／位置決め部分（１２ｂ）を有し、
上記プレートの前記調節可能部分（１２ａ）は前記釜の軸心（ａ１０）に関して外方に事前変形され、
前記調節手段（１６）は、上記締着部分の近傍にて上記プレートの上記調節部分に載置された孔と協働するネジであることを特徴とする、請求項２記載の釜。
【請求項４】  前記プレート（２２）の前記締着／位置決め部分（２２ｂ）はネジ手段（２７）により前記釜本体に取付けられ、
上記プレートの前記調節可能部分（２２ａ）は釜軸心に関して外方に事前変形され、
前記調節手段は、上記締着部分の近傍にて上記プレートの上記調節部分に載置された座刳り孔と協働する皿頭を備えたネジ（２６）であることを特徴とする、請求項２記載の釜。
【請求項５】  前記プレートの前記締着／位置決め部分（３２ｂ）はネジ手段（３７）により前記釜本体に取付けられ、
前記調節可能部分（３２ａ）は釜軸心に関して外方に事前変形され、
前記調節手段は、上記プレートに関して可能的には長手方向に長寸とされた孔（３３）であって上記締着部分の近傍において上記プレートの上記調節部分に載置された孔（３３）と協働する円筒状ネック（３６ｂ）を備えたネジ（３６）であることを特徴とする、請求項２記載の釜。
【請求項６】  前記プレートの前記締着／位置決め部分（４２ｂ）はネジ手段（４７）により前記釜本体に取付けられ、
前記調節可能部分（４２ａ）は釜軸心に関して内方に事前変形され、
前記調節手段は、フランジ（４６ｂ）と、上記プレートに関して可能的には長手方向に長寸とされた孔（４３）であって上記締着部分の近傍において上記プレートの上記調節部分（４２ａ）に載置された孔（４３）と協働する円筒状ヘッド部分（４６ｃ）とを備えたネジ（４６）であることを特徴とする、請求項２記載の釜。
【請求項７】  前記プレートの前記締着／位置決め部分（５２ｂ）はネジ手段（５７）により前記釜本体に取付けられ、
前記調節手段は、当該ネジ（５６）のヘッドがフランジ（５６ｂ）、ネック（５６ｄ）および筒状部分（５６ｃ）を備えたネジ（５６）であり、且つ、
上記ネジは、上記締着部分の近傍において上記プレートの前記調節部分に載置された上記プレートの開口（５３、５３’、５３”）と協働することを特徴とする、請求項２記載の釜。
【請求項８】  前記開口は、前記ネジの前記ネックの直径より大きな少なくともひとつの直径と、
前記プレートの一側に開口するスロット（５３）か、
または上記ネジ・ヘッドの最大直径部分の通過を許容するに十分な最大直径部分を備えた長寸孔（５３’、５３”）のいずれかの形状とを有する請求項７記載の釜。
【請求項９】  前記プレートの前記締着／位置決め部分（６２ｂ）はネジ手段（６７）により前記釜本体に取付けられ、
前記調節手段は、当該ネジ（６６）のヘッドがフランジ（６６ｂ）、ネック（６６ｄ）および第二の内方皿状フランジ（６６ｃ）を備えたネジ（６６）であり、且つ、
上記ネジは、上記締着部分の近傍において上記プレート（６２）の前記調節部分（６２ａ）に載置されて少なくとも部分的に座刳りされた該プレートの開口（６３、６３’、６３”）と協働することを特徴とする、請求項２記載の釜。
【請求項１０】  前記開口（６３、６３’、６３”）は、
一側で開口すると共に、座刳り縁部を備えたスロット、
座刳り縁部を有する最小直径部分を備えたスロットであって、当該スロットは前記ネジの前記ネックの直径より大きく且つ上記ネジの前記皿状フランジの直径より小さな直径を備えると共に、当該スロットは前記皿状フランジ（６６ｂ、６６ｃ）の直径より大きな最大直径部分を備えた、スロット
のうちのひとつを有する請求項９記載の釜。
【請求項１１】  前記プレート（１２）は、二つのネジ手段（１７、１８）により前記釜クロシェ本体に取付けられた締着／位置決め部分（１２ｂ）を有し、
上記プレートの前記調節可能部分（１２ａ）は前記釜軸心（ａ１０）に関して外方に事前変形され、
前記調節手段（１６）は、上記締着部分の近傍にて上記プレートの上記調節部分に載置された孔と協働するネジであることを特徴とする、請求項１記載の釜（１０）。
【請求項１２】  一体片における締着／位置決め部分（１２ｂ、２２ｂ、３２ｂ、４２ｂ、５２ｂ、６２ｂ）および調節部分（１２ａ、２２ａ、３２ａ、４２ａ、５２ａ、６２ａ）と、上記締着／位置決め部分における少なくとも一つの締着／位置決め用座刳り孔とを備えた、本縫いミシン用の釜用プレート（１２、２２、３２、４２、５２、６２）において、
該釜用プレートは、上記調節部分における径方向位置調節および軸心方向位置決めに対する少なくとも一つの開口（１３、２３、３３、４３、５３、６３）であって、上記締着部分に向かう上記調節部分の一部分に載置された少なくとも一つの開口を備えることを特徴とする、釜用プレート。
【請求項１３】  前記調節開口は、
座刳り円形孔、
長寸孔、
一側にて開口するスロット、
横方向もしくは長手方向に長寸とされて２つの直径を有する孔、または、
プレートに対して横方向もしくは長手方向に長寸とされて２つの直径を有する孔であって少なくとも部分的に座刳りされた縁部を有する孔、のうちのひとつを有する請求項１２記載のプレート。
【請求項１４】  前記調節部分は前記締着部分に関して径方向で内側に向けられもしくは外側に向けられるべく事前変形される、請求項１２記載のプレート。
【請求項１５】  本縫いミシン用釜の針受けプレートに対する調節／位置決めネジ（３６、４６、５６、６６）であって、螺条形成軸部（３６ａ、４６ａ、５６ａ、６６ａ）および調節部分を有する調節／位置決めネジにおいて、
上記調節部分は位置決め／調節機能のために構成されることを特徴とする、調節／位置決めネジ。
【請求項１６】  前記調節／位置決め部分は、
円筒状ネック（３６ｂ）および頭部を備える構成、
ネックに向けられたショルダを備えた拡径筒状部（３６Ｃ）である構成、
フランジ（４６ｂ）と、該フランジの最広幅直径より小さな円筒状ヘッド（４６ｃ）とを備える構成、
ヘッドにおいて、介在ネックにより離間された２つのフランジを備える構成、
離間された皿状フランジ（５６ｂ）および筒状フランジ（５６ｃ）、ならびに、それらの間のネック（５６ｄ）を備える構成、
ネック（６６ｄ）により離間された皿状フランジ（６６ｂ、６６ｃ）を備える構成のうちのひとつを有する請求項１５記載のネジ。
【手続補正２】
【補正対象書類名】明細書
【補正対象項目名】００２２
【補正方法】変更
【補正の内容】
【００２２】
プレート１２はそれ自体が公知の手法で、釜の周縁部の回りで該釜の本体上に取付けられると共に、ネジ１７および１８により該釜の締着部分と面一に締着かつ位置決めされる。上記プレートに与えられている変形に依り該プレートは、その作動部分を釜本体の周縁部から僅かに離間して配設される（点線で示された位置）。ネジ１６は上記薄寸体の作動部分と上記本体とを係合させる。ネジ１６を締め付けることにより上記薄寸体は釜クロシェ本体（軸心）に向けて付勢され、該ネジを緩めると正に上記プレートの弾性により該プレートは釜本体から離間移動することから、釜のフック先端１１ａに対する（すなわち軸心ａ１０に対する）上記プレートの位置が調節され得る。
【手続補正３】
【補正対象書類名】明細書
【補正対象項目名】００２６
【補正方法】変更
【補正の内容】
【００２６】
プレート２２はそれ自体が公知の手法で、釜本体の周縁部の回りで該釜本体上に取付けられると共に、ネジ２７により該プレートの締着部分にて締着かつ位置決めされる。上記プレートに与えられている変形に依り該プレートは、その作動部分を釜本体の周縁部から僅かに離間して配設される。ネジ２６は上記プレートの作動部分と上記本体とを係合させる。ネジ２６を締め付け且つ緩めることで、釜本体２１のフック先端２１ａに関するプレート２２の位置が調節され得る。ネジ２６は上記プレートの調節および位置決めに利用され、すなわち該ネジは、フック先端に接近／離間して上記プレートの位置を（釜の軸心から）調節すると共に、軸心ａ２０の方向において上記プレートを位置決めする。
【手続補正４】
【補正対象書類名】明細書
【補正対象項目名】００２９
【補正方法】変更
【補正の内容】
【００２９】
ネジ３６を締め付け且つ緩めることにより、フック先端３１ａに関する上記プレートの位置が調節され得る。